(57)【要約】      （修正有）【課題】複数個の７セグメント表示器を備える遊技機において、断線や配線の脱落だけでなく、端子間の短絡についても短時間で検査する。【解決手段】四連の７セグメント表示器６１０〜６４０を備えた性能表示モニタ６００に対して、電源投入時に、３００ｍｓ〜５００ｍｓの表示期間ごとに各表示器６１０〜６４０ごとに異なる位置のセグメントを一つずつ同時期に点灯させる通電状態の切り換えを順次実行する。各表示器６１０〜６４０において同時期に点灯するセグメントは、下位側の桁の表示器において次の表示期間に点灯から消灯へと通電状態を切り換えられるセグメントを次の表示期間に消灯から点灯へと通電状態を切り換えるセグメントとし、セグメントの並び順に従って、点灯対象を切り換える。【選択図】図３
2020031752.tif 000002
【特許請求の範囲】
【請求項１】
電源を供給する電源供給手段と、所定の情報を表示する表示手段とを備え、図柄の変動表示が可能であって所定の抽選に当選したことを契機に特典が得られる様に構成された遊技機において、さらに、以下の構成をも備えていることを特徴とする遊技機。
（１Ａ）前記表示手段は、複数桁からなる情報を表示し得る様に隣接して配置された複数個の７セグメント表示器によって構成されていること。
（１Ｂ）前記電源供給手段による電源の投入時に、前記複数個の７セグメント表示器の一部のセグメントに対する通電状態を切り換える電源投入時７セグ通電手段を備えていること。
（１Ｃ）前記電源投入時７セグ通電手段は、前記複数桁からなる情報の各桁のそれぞれにおいて一部のセグメントの通電状態が切り換えられた状態が同時期に生じる様に、前記複数個の７セグメント表示器の全てのセグメントに対する通電状態の切り換えを順次実行する手段として構成されていること。
【請求項２】
さらに、以下の構成をも備えていることを特徴とする請求項１に記載の遊技機。
（２）前記電源投入時７セグ通電手段は、同時期に通電状態を切り換えるセグメントが前記複数桁からなる情報の桁毎に異なる位置のセグメントとなる様に通電状態の切り換えを順次実行する手段として構成されていること。
【請求項３】
さらに、以下の構成をも備えていることを特徴とする請求項１又は２に記載の遊技機。
（３）前記電源投入時７セグ通電手段は、前記複数個の７セグメント表示器のそれぞれについて、通電状態を切り換えるセグメントを、各表示器におけるセグメントの並び順に沿って変更しつつ通電状態の切り換えを順次実行する手段として構成されていること。
【請求項４】
さらに、以下の構成をも備えていることを特徴とする請求項１に記載の遊技機。
（４）前記電源投入時７セグ通電手段は、前記複数個の７セグメント表示器のそれぞれについて、複数桁の上位側又は下位側の桁の表示器において次に通電状態を切り換えられるセグメントを同時期に通電状態を切り換えられるセグメントとし、各表示器におけるセグメントの並び順に沿って通電状態を切り換えるセグメントを変更しつつ通電状態の切り換えを順次実行する手段として構成されていること。
【発明の詳細な説明】
【技術分野】
【０００１】
本発明は、パチンコ、スロットマシン等、所定条件を満足したことを契機として特典が付与される様に構成された遊技機に関する。
【背景技術】
【０００２】
この種の遊技機には、所定の情報を表示するための表示手段として７セグメント表示器を備えたものが知られている（例えば、特許文献１）。
【０００３】
特許文献１には、２個の７セグメントＬＥＤを備えさせ、点灯パターンにより「０」〜「９」やアルファベット文字などの記号の組み合わせからなる所定の情報を表示する様にした遊技機が記載されている。そして、特許文献１には、この遊技機において、製造時や出荷時に、作業者が故意にエラーを発生させることで２個の７セグメントＬＥＤに全点灯を指令し、エラーコード「８８」が正しく表示されるのを確認することにより、これら７セグメントＬＥＤの点灯検査を実行することが記載されている。
【先行技術文献】
【特許文献】
【０００４】
【特許文献１】特開２００７−２０９４０（００４２〜００４５，図２）
【発明の概要】
【発明が解決しようとする課題】
【０００５】
特許文献１に記載の技術によれば、情報の表示手段として備えた７セグメント表示器に断線や配線の脱落が生じているか否かの確認は可能であるが、７セグメント表示器における端子間の短絡については確認することができない。
【０００６】
そこで、本願は、表示手段として複数個の７セグメント表示器を備える遊技機において、断線や配線の脱落だけでなく、端子間の短絡についても検査できる様にすることを目的とする。
【課題を解決するための手段】
【０００７】
上記目的を達成するためになされた本発明の遊技機は、電源を供給する電源供給手段と、所定の情報を表示する表示手段とを備え、図柄の変動表示が可能であって所定の抽選に当選したことを契機に特典が得られる様に構成された遊技機において、さらに、以下の構成をも備えていることを特徴とする。
（１Ａ）前記表示手段は、複数桁からなる情報を表示し得る様に隣接して配置された複数個の７セグメント表示器によって構成されていること。
（１Ｂ）前記電源供給手段による電源の投入時に、前記複数個の７セグメント表示器の一部のセグメントに対する通電状態を切り換える電源投入時７セグ通電手段を備えていること。
（１Ｃ）前記電源投入時７セグ通電手段は、前記複数桁からなる情報の各桁のそれぞれにおいて一部のセグメントの通電状態が切り換えられた状態が同時期に生じる様に、前記複数個の７セグメント表示器の全てのセグメントに対する通電状態の切り換えを順次実行する手段として構成されていること。
【０００８】
本発明の遊技機は、隣接して配置された複数個の７セグメント表示器によって構成された表示手段を用いて、所定の情報を表示することができる。ここで、７セグメント表示器は、７つの部分（セグメント）から構成され、上下の横１セグメント、左右の縦２セグメントによって構成される長方形の中央を横切る横１セグメントからなり、個々のセグメントを点灯したり消灯したりすることで、アラビア数字を表現することができるものとなっている。従って、本発明の遊技機によれば、複数個の７セグメント表示器のそれぞれでアラビア数字を表現することにより、複数桁からなる数値情報を表示することができる。
【０００９】
なお、各７セグメント表示器は長方形の右下方に小数点を表現する８番目のセグメントを備えるものとすることができる。また、７セグメント表示器は、アラビア数字以外にも、点灯するセグメントの組み合わせにより、アルファベット文字を表現することができる。従って、本発明の遊技機において表示手段に表示し得る複数桁からなる情報は、アラビア数字のみによる複数桁からなる数値情報、アラビア数字とアルファベット文字とを用いた複数桁からなるコード情報、アルファベット文字のみによる複数桁からなる文字情報など、種々の情報とすることができる。
【００１０】
これら種々の情報は、複数個の７セグメント表示器が配置された基板に備えられた多数の端子の導通状態の組み合わせ方によって表現することができる。そして、複数個の７セグメント表示器を備えた表示手段は、アラビア数字やアルファベット文字を的確に表現した通電状態を形成する様に、多数の端子のそれぞれに対する信号線の断線や脱落はもちろん、端子間の短絡もあってはならない。
【００１１】
そこで、本発明の遊技機は、電源投入時に、電源投入時７セグ通電手段を作動させる。この電源投入時７セグ通電手段は、複数桁からなる情報を表示する複数個の７セグメント表示器に対し、各表示器の一部のセグメントに対する通電状態を切り換える。例えば、各表示器の備える７つのセグメントの内、いずれか一つのセグメントだけ消灯から点灯（または「消灯から点滅」あるいは「点灯から消灯」または「点滅から消灯」）に切り換える。このとき、電源投入時７セグ通電手段は、複数個の７セグメント表示器のそれぞれにおいて、一部のセグメントの通電状態が切り換えられた状態が同時期に生じる様に通電状態の切り換えを実行する。そして、この様な通電状態の切り換えを、各表示器ごとに、次のセグメント、さらに次のセグメント、…と、複数個の７セグメント表示器の全てのセグメントに対する通電状態の切り換えを順次実行する。
【００１２】
こうして電源投入時７セグ通電手段が、複数個の７セグメント表示器の全てのセグメントに対する通電状態の切り換えを順次実行する間に、通電状態が切り換えられる様子が予定した状態にならない場合は、表示手段を構成する７セグメント表示器に関する断線または短絡が生じていることを目視によって把握することができる。
【００１３】
この目視確認作業は、本発明の遊技機では、複数個の７セグメント表示器のそれぞれにおいて、一部のセグメントの通電状態が切り換えられた状態が同時期に生じる様に、即ち、１桁目、２桁目、…、ｎ桁目を構成する各７セグメント表示器のそれぞれにおいて、同時期に一部のセグメントだけが点灯（または点滅あるいは消灯）するといった状態を生じさせるから、１個の７セグメント表示器の全てのセグメントに対する通電状態の切り換えを順次実行する間に、複数桁を構成する全ての７セグメント表示器の全てのセグメントについて断線、短絡の確認を実行することができ、１個の７セグメント表示器に対して順次通電状態を切り換えて確認する場合と同程度の作業時間とすることができる。よって、複数桁からなる情報を表示し得る表示手段の不具合の有無を確認するための作業工数を短縮することができる。
【００１４】
ここで、本発明の遊技機は、さらに、以下の構成をも備えるものとすることができる。
（２）前記電源投入時７セグ通電手段は、同時期に通電状態を切り換えるセグメントが前記複数桁からなる情報の桁毎に異なる位置のセグメントとなる様に通電状態の切り換えを順次実行する手段として構成されていること。
【００１５】
かかる構成をも備えた遊技機によれば、電源投入時７セグ通電手段は、複数桁からなる情報の各桁を表現する７セグメント表示器ごとに、電源投入時の確認作業のために点灯（または点滅あるいは消灯）させるセグメントを異ならせることにより、作業者は、隣の７セグメント表示器の表示と混乱することなく、点灯位置（または点滅位置あるいは消灯位置）の変化を的確に確認することができる。
【００１６】
これら本発明の遊技機は、さらに、以下の構成をも備えるものとすることができる。
（３）前記電源投入時７セグ通電手段は、前記複数個の７セグメント表示器のそれぞれについて、通電状態を切り換えるセグメントを、各表示器におけるセグメントの並び順に沿って変更しつつ通電状態の切り換えを順次実行する手段として構成されていること。
【００１７】
かかる構成をも備えた遊技機によれば、電源投入時７セグ通電手段は、各表示器において、例えば、「ａ：上横→ｂ：右縦上→ｃ：右縦下→ｄ：下横→ｅ：左縦下→ｆ：左縦上→ｇ：中央横、（→DP：小数点）」の並び順に沿って、各セグメントを順次点灯（または点滅あるいは消灯）するといった通電状態の切り換えを実行することができる。この様に、セグメントの並び順に沿って通電状態を切り換えるセグメントを変更することで、作業者は、点灯位置（または点滅位置あるいは消灯位置）の変化を予測しつつ確認作業を行うことができるから、見落としが生じ難い。
【００１８】
また、本発明の遊技機は、さらに、以下の構成をも備えるものとすることができる。
（４）前記電源投入時７セグ通電手段は、前記複数個の７セグメント表示器のそれぞれについて、複数桁の上位側又は下位側の桁の表示器において次に通電状態を切り換えられるセグメントを同時期に通電状態を切り換えられるセグメントとし、各表示器におけるセグメントの並び順に沿って通電状態を切り換えるセグメントを変更しつつ通電状態の切り換えを順次実行する手段として構成されていること。
【００１９】
かかる構成をも備えた遊技機によれば、電源投入時７セグ通電手段は、例えば、最上位桁の表示器を「ａ：上横→ｂ：右縦上→ｃ：右縦下→ｄ：下横→ｅ：左縦下→ｆ：左縦上→ｇ：中央横、（→DP：小数点）」、上位２番目の桁の表示器を「ｂ：右縦上→ｃ：右縦下→ｄ：下横→ｅ：左縦下→ｆ：左縦上→ｇ：中央横、（→DP：小数点）、→ａ：上横」、上位３番目の桁の表示器を「ｃ：右縦下→ｄ：下横→ｅ：左縦下→ｆ：左縦上→ｇ：中央横、（→DP：小数点）、→ａ：上横→ｂ：右縦上」、…、といった具合に通電状態を切り換えるセグメントを変更しつつ電源投入時の確認用の点灯状態（または点滅状態あるいは消灯状態）の変化を生じさせることができる。同一時期に通電状態が切り換えられるセグメントが各表示器においてずれ、かつ、各表示器におけるセグメントの並び順に沿って通電状態が切り換えられるセグメントが変更されるから、作業者は、点灯位置（または点滅位置あるいは消灯位置）の変化を予測しつつ、隣の表示器の点灯状態（または点滅状態あるいは消灯状態）に翻弄されることなく、見落としのない確認作業を自然な感覚で実行することができる。
【発明の効果】
【００２０】
本発明によれば、表示手段として複数個の７セグメント表示器を備える遊技機において、断線や配線の脱落だけでなく、端子間の短絡についても検査することができる。
【図面の簡単な説明】
【００２１】
【図１】実施例１のパチンコ機を示し、（Ａ）は正面図、（Ｂ）は右側面図、（Ｃ）は平面図、（Ｄ）は中枠の背面図である。
【図２】実施例１のパチンコ機を示し、（Ａ）は正面図、（Ｂ）は前枠を開こうとしている状態の右側面図、（Ｃ）は前枠を開こうとしている状態の平面図、（Ｄ）は前枠を開いた状態の正面図、（Ｅ）は遊技盤を構成する板部材の正面図、（Ｆ）は同じく遊技盤を構成する裏ユニットの正面図である。
【図３】実施例１のパチンコ機を示し、（Ａ）は主制御基板の斜視図、（Ｂ）は性能表示モニタの正面図である。
【図４】実施例１のパチンコ機に搭載する性能表示モニタを示し、（Ａ）は回路図、（Ｂ）は繰り返し周期ごとに実行する出力端子のＯＮ／ＯＦＦ信号とデータ線のＯＮ／ＯＦＦ信号の切り換えに関するタイミングチャート、（Ｃ）は四桁の数字の表示例の説明図である。
【図５】実施例１のパチンコ機の制御系統を示すブロック図である。
【図６】実施例１のパチンコ機における性能表示モニタ制御処理を示し、（Ａ）は制御系統のブロック図、（Ｂ）は主制御基板による制御処理のフローチャート、（Ｃ）はマイコン基板による制御処理のフローチャートである。
【図７】実施例１のパチンコ機におけるマイコン基板による制御処理に対応する信号と表示の関係を示す説明図である。
【図８】通電確認時の表示の切り換え状態を示し、（Ａ）は実施例１における切り換え状態の説明図、（Ｂ）は変形例における切り換え状態の説明図である。
【図９】通電確認時の表示の切り換え状態を示し、（Ａ）は他の変形例における切り換え状態の説明図、（Ｂ）はさらに他の変形例における切り換え状態の説明図である。
【発明を実施するための形態】
【００２２】
以下、本発明の実施形態として、具体的な実施例を図面に基づき詳細に説明する。
【実施例１】
【００２３】
［１  遊技機全体の概要］
実施例１のパチンコ機Ｐ１は、図１に示す様に、外枠Ａ、中枠Ｂ、遊技盤Ｃ、前枠Ｄ、上の球受け皿Ｅ、下の球受け皿Ｆ、発射装置Ｇ及び施錠装置Ｈを備えている。
【００２４】
遊技盤Ｃは、障害釘１１や風車１２が植設された遊技領域１０の中央にセンター役物３０が取り付けられ、センター役物３０の中央直下に始動入賞装置７が備えられ、大入賞口１５、誘導レール１７、普通入賞口１８、アウト口１９等が備えられている。センター役物３０は、大型装飾体３１、ステージ３２、ワープ通路３３を備えるリング状を呈し、左上部には障害釘に代わる障害ブロック３４が設けられている。パチンコ機Ｐ１は、大当たり等の際には「右打ち遊技」とするタイプであって、右打ち通路３５を備え、右側遊技領域２０には、ゲート３７と第２始動入賞装置２７が設置されている。この第２始動入賞装置２７は、ゲート３７を遊技球が通過したことを契機に実行される普通図柄抽選結果に基づいて開閉動作される電動式チューリップを備えている。
【００２５】
図２（Ｂ），（Ｄ）に示す様に、前枠Ｄには、上部所定位置に遊技盤Ｃの透視保護窓Ｗが備えられ、下部所定位置に、上の球受け皿Ｅ、下の球受け皿Ｆ及び発射装置Ｇが組み付けられている。前枠Ｄには、図２（Ａ）に示す様に、音声演出に用いるスピーカＳＰｌ，ＳＰｒ、発光演出に用いる装飾ランプＬＤｌ，ＬＤｌ，…、ＬＤｒ，ＬＤｒ，…、ＬＤｕ，ＬＤｕ，…も備えられている。
【００２６】
前枠Ｄには、図２（Ｄ）に示す様に、スピーカＳＰｌ，ＳＰｒ、装飾ランプＬＤｌ、ＬＤｒ、ＬＤｕ、発射装置Ｇの駆動制御用の基板ＫＢｓｐｌ，ＫＢｓｐｒ，ＫＢｌｄｌ，ＫＢｌｄｒ，ＫＢｌｄｕ，ＫＢｇが内蔵されている。
【００２７】
これら駆動制御用の基板ＫＢｓｐｌ，ＫＢｓｐｒ，ＫＢｌｄｌ，ＫＢｌｄｒ，ＫＢｌｄｕ，ＫＢｇには、中枠Ｂに設置した本体側コネクタＣＮＴ１と前枠Ｄに設置した組付部材側コネクタＣＮＴ２とを接合させることにより、中枠Ｂから電源及び制御信号等が入力される構成となっている。
【００２８】
また、遊技盤Ｃは、図２（Ｅ），（Ｆ）に示す様に、遊技盤Ｃは、障害釘等を設置した板部材Ｃ１と、板部材Ｃ１の裏側に組み付けられた裏ユニットＣ２とから構成されている。裏ユニットＣ２には、液晶表示装置ＬＣＤを覗かせる中央開口４１が設けられると共に、演出用可動体ＫＤｄｗｎ，ＫＤｓｗｉｎｇ、玉排出路構成部材４２〜４４が前面側に組み付けられている。本体側コネクタＣＮＴ１は、裏ユニットＣ２の前面側に突出する様に設けられ、板部材Ｃ１に形成された切り欠き部ＣＵＴ１を介して組付部材側コネクタＣＮＴ２を前方から接合可能とされている。また、本体側コネクタＣＮＴ１には、切り欠き部ＣＵＴ１を介して視認可能な位置に、通電状態表示用のＬＥＤランプＬＤｃｎｔが備えられている。ＬＥＤランプＬＤｃｎｔは、例えば、本体側コネクタＣＮＴ１が通電状態にないときは消灯し、通電状態にあるときは点滅するといった発光態様によって通電状態を知らせる役割を持っている。
【００２９】
中枠Ｂには、図１（Ｄ）に示す様に、機構板５００が嵌め込まれている。遊技盤Ｃは、機構板５００の所定位置に組み付けられ、裏ユニットＣ２の背面側に液晶表示装置ＬＣＤが取り付けられる。こうして遊技盤Ｃ、液晶表示装置ＬＣＤを組み付けた機構板５００の背面側には、主制御基板３１０、演出制御基板３２０、払出制御基板３３０、発射制御基板３４０、インタフェース基板３５０、電源基板３６０、演出表示制御基板３７０及び電源中継基板３８０が、それぞれ基板ケース５１０，５２０，５３０，５４０，５５０，５６０，５７０，５８０で覆われた状態にて設置され、互いにハーネスで接続されている。
【００３０】
主制御基板３１０を収納した基板ケース５１０には、演出制御基板３２０、払出制御基板３３０、発射制御基板３４０、及び電源中継基板３８０に対してハーネスを接続するためのソケットを背面側に臨ませるソケット開口が形成されると共に、これらのソケット開口から演出制御基板３２０、払出制御基板３３０、発射制御基板３４０、及び電源中継基板３８０に対してハーネスを配線するためのハーネスダクトが、背面側に突出する様に形成されている。
【００３１】
演出制御基板３２０を収納した基板ケース５２０には、主制御基板３１０及び演出表示制御基板３７０に対してハーネスを接続するためのソケットを背面側に臨ませるソケット開口が形成されると共に、主制御基板３１０との接続用のソケット開口から主制御基板３１０に対してハーネスを配線するためのハーネスダクトが、背面側に突出する様に形成されている。
【００３２】
払出制御基板３３０、及び発射制御基板３４０の基板ケース５３０，５４０には、主制御基板３１０に対してハーネスを接続するためのソケットを背面側に臨ませるソケット開口が形成されると共に、これらのソケット開口から主制御基板３１０に対してハーネスを配線するためのハーネスダクトが、背面側に突出する様に形成されている。
【００３３】
演出表示制御基板３７０の基板ケース５７０には、演出制御基板３２０に対してハーネスを接続するためのソケットを背面側に臨ませるソケット開口が形成されている。なお、電源中継基板３８０の基板ケース５８０には、主制御基板３１０との間を接続するハーネスのためのソケット開口３８１と、電源基板３６０との間を接続するハーネスのためのソケット開口が形成されている。そして、電源基板３６０の基板ケース５６０には、電源中継基板３８０との間を接続するハーネスのためのソケット開口が形成されている。さらに、払出制御基板３３０の基板ケース５３０には、インタフェース基板３５０との間を接続するハーネスのためのソケット開口も形成されていて、インタフェース基板３５０の基板ケース５５０には、払出制御基板３３０との間を接続するハーネスのためのソケット開口とハーネスダクトが形成されている。
【００３４】
［２  性能表示モニタ］
図３（Ａ）に示す様に、主制御基板３１０には、性能表示モニタ６００が設置されている。性能表示モニタ６００は、当該遊技機における通常時（低確時短なし）のベース（払出数／発射数）を表示するために遊技機への搭載が義務付けられている。
【００３５】
性能表示モニタ６００は、図３（Ｂ）に示す様に、四連の７セグメント表示器６１０〜６４０からなり、四桁の数値を表示可能となっている。各表示器６１０〜６４０は、それぞれ、第１〜第８のセグメント６１１，６２１，６３１，６４１〜６１８，６２８，６３８，６４８を備えている。そして、各表示器６１０〜６４０は、それぞれ、第１，第２，第３，第４，第５，第６のセグメントを点灯させることで「０」、第１，第２のセグメントを点灯させることで「１」、・・・、第１，第２，第３，第４，第６，第７のセグメントを点灯させることで「９」、といった具合に、数字の「０］〜「９」を表示する。なお、各表示器６１０〜６４０の第８のセグメント６１８，６２８，６３８，６４８は、小数点を意味する「ドット」を表示するときに点灯する。
【００３６】
性能表示モニタ６００は、図４（Ａ）に示す様に、８本のデータ線ＤＡＴ１〜ＤＡＴ８と、４本の出力端子ＯＵＴ１〜ＯＵＴ４とを備えるマイコン基板６５０によって点灯制御されるダイナミック点灯回路を備えている。出力端子ＯＵＴ１〜ＯＵＴ４は、それぞれ、各桁の７セグメント表示器６１０〜６４０に個々に接続され、データ線ＤＡＴ１はセグメント６１１，６２１，６３１，６４１、データ線ＤＡＴ２はセグメント６１２，６２２，６３２，６４２、・・・、データ線ＤＡＴ８はセグメント６１８，６２８，６３８，６４８へと共通に接続されている。なお、この回路は一例であり、ダイナミック点灯回路をアノードコモン、カソードコモンのいずれで構成することも、スタティック点灯回路によって構成することも妨げるものではない。
【００３７】
マイコン基板６５０は、図４（Ｂ）に示す様に、出力端子ＯＵＴ１〜ＯＵＴ４を、繰り返し周期ｔ＝１ｍｓ〜１０ｍｓにて、各桁の７セグメント表示器６１０〜６４０に対し、点灯回路を順次有効化する制御を常時実施している。マイコン基板６５０は、これと併せて、点灯回路が有効化された桁の表示器に表示すべき数字に対応する様に、データ線ＤＡＴ１〜ＤＡＴ８のＯＮ／ＯＦＦ状態を、各繰り返し周期ｔに従って切り換えている。
【００３８】
例えば、主制御基板３１０からの信号に基づいて「１２３４」という４桁の数字を表示する場合、マイコン基板６５０は、図４（Ｃ）に示す様に、出力端子ＯＵＴ１〜ＯＵＴ４のＯＮ／ＯＦＦの切り換えタイミングにあわせて（１／４）ｔごとに、データ線ＤＡＴ１〜ＤＡＴ８のＯＮ／ＯＦＦ状態を切り換える制御を実行する。これにより、最上位桁の表示器６１０に「１」、次の桁の表示器６２０に「２」、さらに次の桁の表示器６３０に「３」、最下位桁の表示器６４０に「４」を表示する。
【００３９】
［３  制御装置の概要］
次に、本実施例のパチンコ機Ｐ１のゲーム性等について説明する。まず、制御系統について図５に基づいて説明する。ＣＰＵ，ＲＯＭ，ＲＡＭ，クロック等を備えた主制御基板３１０に対して、始動入賞装置７に備えられている第１特図スイッチＳＷ１、第２始動入賞装置２７に備えられている第２特図スイッチＳＷ２、ゲート３７に備えられている普図スイッチＳＷ４、大入賞口１５に備えられた入賞検知スイッチＳＷ７、普通入賞口１８に備えられた入賞検知スイッチＳＷ１１，ＳＷ１２、及び裏ユニットＪの所定位置に設けられた球排出通路に備えられた排出球検知スイッチＳＷ４１〜４３からの検知信号が入力される様になっている。主制御基板３１０には、前枠Ｄの開閉状態を示す開閉検知スイッチ５０の検出信号も入力されている。
【００４０】
また、主制御基板３１０からは、演出制御基板３２０、払出制御基板３３０、発射制御基板３４０、特図表示器ＴＫＺ、性能表示モニタ６００、大入賞口１５の開閉用ソレノイドＳＯＬ７、第２始動入賞装置２７の普通電動役物開閉用ソレノイドＳＯＬ２７へとコマンドが出力される様になっている。払出制御基板３３０は、主制御基板３１０に対して信号を入力する様にも接続されている。また、払出制御基板３３０と発射制御基板３４０との間でも互いに信号の入出力がなされている。この結果、本実施例においては、発射制御基板３４０から払出制御基板３３０を経由して主制御基板３１０に対して信号入力が可能となっている。
【００４１】
制御系統には、この他、ＢＣユニット３３５、インタフェース基板３５０、電源基板３６０、演出表示制御基板３７０、電源中継基板３８０、球貸し操作基板３９０、ホールコンピュータ４００、カードユニットＣＤＵ等も備えられている。
【００４２】
演出制御基板３２０は、主制御基板３１０からの演出指令信号に基づいて、遊技盤Ｃに設置された役物に内蔵したＬＥＤを発光制御する役物発光制御基板ＫＢｌｄｃ、可動体役物を駆動するモータやソレノイドを駆動制御するモータ駆動制御基板ＫＢｍｔ、ソレノイド駆動制御基板ＫＢｓｏｌ、スピーカーＳＰｌ，ＳＰｒによる音声出力を制御するスピーカ駆動制御基板ＫＢｓｐｌ，ＫＢｓｐｒ、前枠Ｄに設置された装飾ランプＬＤｌ、ＬＤｒ、ＬＤｕを発光制御する前枠発光制御基板ＫＢｌｄｌ，ＫＢｌｄｒ，ＫＢｌｄｕ等に対して制御信号を出力して役物発光演出、枠発光演出、音声演出、可動体演出等を実行すると共に、演出表示制御基板３７０へと演出表示のためのコマンドを出力し、液晶表示装置ＬＣＤによる表示演出を実行させている。
【００４３】
なお、前枠Ｄに設置された演出操作ボタンＳの押下信号は演出制御基板３２０に入力され、貸し玉ボタンＱ，カード取り出しボタンＲの押下信号は球貸し操作基板３９０に入力されている。
【００４４】
主制御基板３１０は、特図１スイッチＳＷ１からの検知信号の入力を契機として取得した特図１判定用乱数を最大４個、特図２スイッチＳＷ２の検知信号入力を契機として取得した特図２判定用乱数を最大４個、それぞれ保留記憶しておくため、ＲＡＭ内に、特図１保留記憶部３１１及び特図２保留記憶部３１２を備えている。特図１判定用乱数及び特図２判定用乱数は、それぞれ、「当たり／はずれ判定用乱数（乱数１：ＳＷ１−１，ＳＷ２−１）」、「特図振分判定用乱数（乱数２：ＳＷ１−２，ＳＷ２−２）」、「演出実行判定用乱数（乱数３：ＳＷ１−３，ＳＷ２−３）」、及び「変動パターン振分用乱数（乱数４：ＳＷ１−４，ＳＷ２−４）」から構成される。乱数１は、特図スイッチ検知信号の入力を契機としてハードウェアロジックによって取得され、乱数２〜４は、特図スイッチ検知信号の入力を契機としてソフトウェアロジックによって取得される。
【００４５】
主制御基板３１０は、所定のタイミングで実行する判定処理において、乱数１が予め設定された「大当たり判定値」と一致するときに「大当たり」と判定し、一致しない場合は「はずれ」と判定する。特図振分判定用乱数（乱数２）は、特別遊技のラウンド数など、大当たり種別を振り分けるための乱数である。演出実行判定用乱数（乱数３）は、リーチ演出を行うか否かを決定するための乱数である。リーチ演出は、「当たり」の場合だけでなく、「はずれ」においても所定の割合で実行する構成となっている。変動パターン振分用乱数（乱数４）は、変動パターンを振り分けるための乱数である。なお、乱数１で「大当たり」となった場合、乱数２による大当たり種別振り分けにより、例えば、「２Ｒ」「７Ｒ」「１５Ｒ」など、遊技者に対する有利さの異なる複数種類の当たり種別のいずれかに振り分けられる。
【００４６】
演出制御基板３２０には、音声演出、表示演出、発光演出、及び可動体演出を実行するための演出データ記憶手段３２５が備えられている。演出データ記憶手段３２５には、特別図柄変動ゲーム中に実行する変動ゲーム中演出データＤＨ、大当たり遊技中に実行する大当たり中演出データＤＶ、デモ中に実行するデモ中演出データＤＭ、特図変動ゲームにおいて実行される変動パターンに応じた飾り図柄変動ゲームを表示するための飾り図柄変動演出データＤＫＺが記憶されている。
【００４７】
変動ゲーム中演出データＤＨは、背景表示用データ、キャラクタ表示用データ、発光演出用データ、音声演出用データ、及び可動体演出用データの組み合わせとなっている。変動ゲーム中演出データＤＨは、主制御基板３１０による抽選結果（ノーマルはずれ、ノーマル当たり、リーチはずれ、リーチ当たり、スーパーリーチはずれ、スーパーリーチ当たりなど）に対して、それぞれ複数種類のパターンが備えられている。これらのパターンにおいて、例えば、可動体演出を伴わない変動ゲーム中演出を行うデータは、可動体演出データがブランクデータで構成される。
【００４８】
大当たり中演出データＤＶも、変動ゲーム中演出データＤＨと同様に、背景表示用データ、キャラクタ表示用データ、発光演出用データ、音声演出用データ、及び可動体演出用データの一部又は複数の組み合わせ又は全部の組み合わせによって構成され、大当たり種別に応じて複数パターンが備えられている。
【００４９】
デモ中演出データＤＭも、変動ゲーム中演出データＤＨと同様に、背景表示用データ、キャラクタ表示用データ、発光演出用データ、音声演出用データ、及び可動体演出用データの一部又は複数の組み合わせ又は全部の組み合わせによって構成され、デモ１用、デモ２用など複数パターンが備えられている。
【００５０】
飾り図柄変動演出データＤＫＺは、ノーマルはずれ、ノーマル当たり、リーチはずれ、リーチ当たり、スーパーリーチはずれ、スーパーリーチ当たりなど、主制御基板３１０による抽選の結果に基づいて指令される変動パターンに対応したデータとして記憶されている。このため、本実施例においては、通常状態用変動パターンテーブル３１５に対応する飾り図柄変動時間となる通常状態用飾り図柄変動演出データＤＫＺａと、変短状態用変動パターンテーブル３１６に対応する飾り図柄変動時間となる変短状態用飾り図柄変動演出データＤＫＺｂとが、演出制御基板３２０の演出データ記憶手段３２５に記憶されている。
【００５１】
演出表示制御基板３７０は、演出制御基板３２０から指令される背景表示用データに従って液晶表示装置ＬＣＤに表示した背景画像に対して重ね合わせる様にして、変動パターンに対応する飾り図柄変動演出データＤＫＺを表示する。また、この表示演出においては、キャラクタ表示データが存在する場合はキャラクタ画像を重ねて表示する演出も実行される。
【００５２】
ここで、本実施例においては、変動ゲーム中演出データＤＨは、変動パターンに対して１対１対応となっている訳ではなく、例えば、変動パターン１に対して演出１，演出２，…などと複数の中から振り分けによって演出制御基板３２０側で決定する構成となっている。同じく、飾り図柄変動演出データＤＫＺも、例えば、変動パターン１に対しては変動時間１、変動パターン１に対しては変動時間２、…、と１対１の対応であるが、各変動時間に対して複数の飾り図柄変動パターンが備えられていて、これら複数の中から振り分けによって演出制御基板３２０が決定する構成となっている。これら振り分け可能な演出データＤＨや飾り図柄変動パターンＤＫＺは、変動パターンが大当たりの場合に振り分けられ易く、はずれの場合に振り分けられ難いグループと、その逆のグループといった具合に、信頼度グループを構成する様に振り分け確率を設定している。
【００５３】
［４  主制御基板における遊技性に関する制御処理の概要］
主制御基板３１０は、特図スイッチＳＷ１，ＳＷ２、入賞検知センサＳＷ７，ＳＷ１１，ＳＷ１２からの入賞検知信号が入力されると、各スイッチに対応する賞球払出個数に対応する賞球払出コマンドを払出制御基板３３０に対して出力する賞球払出処理を実行している。これを受けて、払出制御基板３３０は、遊技球の入賞口に対応して予め定められた個数の賞球の払出動作を実行する。主制御基板３１０は、この賞球の払い出し個数は、「通常遊技」、「時短遊技」「大当たり遊技」等の遊技状態ごとに累積値を記憶する。主制御基板３１０は、また、これら遊技状態ごとの排出球の個数を排出球検知スイッチＳＷ４１〜４３からの検知信号に基づいて累積値として記憶している。そして、主制御基板３１０は、これら賞球払出個数の累積値と排出球数の累積値に基づいて、各遊技状態におけるベース（払出数／（発射数＝排出数））を算出している。これら遊技状態ごとのベースの内、「通常遊技」について算出した値は、主制御基板３１０から性能表示モニタ６００のマイコン基板６５０へと送信され、性能表示モニタ６００に数値表示される。なお、所定の操作をすることにより、性能表示モニタ６００を用いて、「時短遊技」や「大当たり遊技」におけるベースの表示をすることもできる様になっている。
【００５４】
また、主制御基板３１０は、特図スイッチＳＷ１，ＳＷ２のいずれかから検知信号が入力されると、特別図柄を決定するための乱数を取得し、その結果を始動保留情報としてＲＡＭに記憶する特図入力処理を実行している。本実施例においては、始動保留情報として第１特図スイッチＳＷ１による検知信号に基づく始動保留情報（特図１始動保留情報）を最大４個、第２特図スイッチＳＷ２による検知信号に基づく始動保留情報（特図２始動保留情報）を最大４個記憶することができる構成となっている。
【００５５】
主制御基板３１０は、こうしてＲＡＭ内に記憶された始動保留情報を読み出し、「当たり／はずれ」に応じた特別図柄変動を特図表示器ＴＫＺに実行させると共に、演出制御基板３２０を介して音声演出、発光演出、表示演出、可動体演出等を実行させるための特図開始処理を実行している。この特図開始処理では、始動保留情報に基づく抽選処理の結果により、「変動パターン」および「最終停止図柄」を決定し、演出制御基板３２０に対し、所定の制御コマンドを所定のタイミングで出力する。具体的には、主制御基板３１０は、変動パターンを指定すると共に図柄変動の開始を指示する変動パターン指定コマンドを出力すると共に、変動パターンで特定された演出時間の計測を開始する。これと同時に、主制御基板３１０は、特図変動表示を開始させるように特図表示器ＴＫＺを制御する。また、主制御基板３１０は、最終停止図柄となる特別図柄を指示するための特図指定コマンドを出力する。こうして、主制御基板３１０は、特図開始処理を終了する。その後、特図開始処理とは別の処理において、主制御基板３１０は、指定した変動パターンに定められている演出時間に基づいて、決定した最終停止図柄を表示させるように特図表示器ＴＫＺの表示内容を制御する。また、主制御基板３１０は、指定した変動パターンに定められている演出時間に基づいて、演出制御基板３２０に対して飾図の変動停止を指示し、図柄組み合わせを確定停止表示させるための全図柄停止コマンドを出力する。
【００５６】
［５  演出御基板における遊技性に関する制御処理の概要］
演出制御基板３２０は、主制御基板３１０からの変動コマンドを受信することによって変動演出を実行する。この変動演出は、特別遊技中でなく、デモ表示状態でもないときに実行される。演出制御基板３２０は、変動コマンドを受信したら、今回の表示演出に用いる飾り図柄変動演出データＤＫＺと変動ゲーム中演出データＤＨとを決定する。
【００５７】
ここで、本実施例においては、演出データ記憶手段３２５には、各変動パターン（変動時間）に対して、それぞれ複数個の飾り図柄変動演出データＤＫＺが記憶されているから、主制御基板３１０からの入力によって変動パターンが特定されたことにより、当該変動パターンについて選択し得る複数個のＤＫＺの中から、今回の変動ゲーム中演出において使用する一つのＤＫＺを抽選によって決定する。
【００５８】
また、演出データ記憶手段３２５には、各変動パターン（変動時間）に対して、それぞれ複数個の変動ゲーム中演出データＤＨが記憶されているから、主制御基板３１０からの入力によって変動パターンが特定されたことにより、当該変動パターンについて選択し得る複数個のＤＨの中から、今回の変動ゲーム中演出において使用する一つのＤＨを抽選によって決定する。
【００５９】
こうして決定したＤＨ，ＤＫＺに対応するデータを演出データ記憶手段３２５から読み出し、変動演出を開始する。変動ゲーム中演出データＤＨによる演出は、主制御基板３１０から全図柄停止コマンドを受信したときに、飾り図柄変動演出における確定図柄の停止を行って終了する。この飾り図柄変動表示における確定図柄停止のタイミングは、主制御基板３１０による特図表示器ＴＫＺへの特別図柄確定のタイミングと同期している。
【００６０】
なお、特別遊技中であるときは、変動ゲーム中演出データＤＨではなく大当たり中演出データＤＶを読み出し、大当たり中演出を実行する。また、デモ表示タイミングであるときは、デモ中演出データＤＭを読み出し、デモ中演出を実行する。
【００６１】
本実施例においては、これら変動ゲーム中演出、大当たり中演出、デモ中演出での発光演出として、遊技盤Ｃに備えた装飾ランプによる役物発光演出に加えて、前枠Ｄに備えた装飾ランプによる枠発光演出も実行している。演出制御基板３２０の演出データ記憶手段３２５には、変動ゲーム中演出において実行する枠発光演出のためのデータについても、変動パターンが大当たりの場合に振り分けられ易く、はずれの場合に振り分けられ難いグループと、その逆のグループといった具合に、信頼度グループを構成する様に振り分け確率を設定した複数の演出データを記憶させてある。
【００６２】
［６  性能表示モニタ制御処理］
本実施例では、主制御基板３１０は、図６（Ａ）に示す制御系統により、性能表示モニタ６００のマイコン基板６５０に制御信号を出力し、７セグメント表示器６１０〜６４０におけるベース表示を実行している。この制御処理において、電源投入時に、主制御基板３１０は、７セグメント表示器６１０〜６４０において接触不良や端子間短絡が生じているか否かを検査担当者やホール管理者等が確認するための確認用表示を、マイコン基板６５０に実行させる。
【００６３】
主制御基板３１０は、図６（Ｂ）に示す様に、電源投入時である場合は（Ｓ１０：ＹＥＳ）、マイコン基板６５０に対して確認表示を実行させるための確認信号を出力する（Ｓ２０）。主制御基板３１０は、その後、確認表示の完了を待って（Ｓ３０：ＹＥＳ）、通常遊技状態のベースを表示するための信号を出力する（Ｓ４０）。なお、主制御基板３１０は、所定の操作により、時短遊技や大当たり遊技に対応する遊技状態のベース表示への変更が指令された場合は（Ｓ５０：ＹＥＳ）、当該変更指令に対応するベースを表示させるための信号をマイコン基板６５０に対して出力する（Ｓ６０）。ここで、Ｓ３０における確認表示が完了した否かは、確認信号を出力した後の経過時間によって判断している。
【００６４】
マイコン基板６５０は、図６（Ｃ）に示す様に、主制御基板３１０から入力される信号に従って４桁の７セグメント表示器６１０〜６４０に対する表示を実行している。マイコン基板６５０は、確認信号が入力されたとき（Ｓ１００：ＹＥＳ）、第１期間用の信号を出力する（Ｓ１１０）。
【００６５】
マイコン基板６５０は、図７（Ａ）に示す様に、出力端子ＯＵＴ１〜ＯＵＴ４に対し、繰り返し周期ｔ＝１ｍｓ〜１０ｍｓにて、各桁の７セグメント表示器６１０〜６４０に対し、点灯回路を順次有効化する制御を常時実施している。そして、第１期間用の信号は、図７（Ｂ）に示す様に、最上位桁の表示器６１０の点灯回路を有効化するタイミングにおいて第１のセグメント６１１を点灯させるデータ線ＤＡＴ１のみをＯＮとし、次の桁の表示器６２０の点灯回路を有効化するタイミングにおいて第２のセグメント６２２を点灯させるデータ線ＤＡＴ２のみをＯＮとし、さらに次の桁の表示器６３０の点灯回路を有効化するタイミングにおいて第３のセグメント６３３を点灯させるデータ線ＤＡＴ３のみをＯＮとし、最下位桁の表示器６４０の点灯回路を有効化するタイミングにおいて第４のセグメント６４４を点灯させるデータ線ＤＡＴ４のみをＯＮとする信号となっている。
【００６６】
マイコン基板６５０は、表示期間Ｔ１＝３００ｍｓ〜５００ｍｓが経過するまでの間（Ｓ１１５：ＮＯ）、第１期間用の信号を出力し続ける（Ｓ１１０）。この結果、四桁の７セグメント表示器６１０〜６４０は、図７（Ｂ）の右端に示す様な表示がなされた状態となる。この間、各表示器６１０〜６４０は、（１／４）ｔの間だけ対応するセグメントを点灯させる状態となっているが、人の目には、図７（Ｂ）の右端に示す様に、四桁の表示器６１０〜６４０において、最上位桁側から順に、第１のセグメント６１１、第２のセグメント６２２、第３のセグメント６３３、第４のセグメント６４４が同時に点灯した状態として把握される。
【００６７】
マイコン基板６５０は、第１の表示期間Ｔ１が経過したことを契機に（Ｓ１１５：ＹＥＳ）、第２期間用の信号を出力する（Ｓ１２０）。第２期間用の信号は、図７（Ｃ）に示す様に、最上位桁の表示器６１０の点灯回路を有効化するタイミングにおいて第２のセグメント６１２を点灯させるデータ線ＤＡＴ２のみをＯＮとし、次の桁の表示器６２０の点灯回路を有効化するタイミングにおいて第３のセグメント６２３を点灯させるデータ線ＤＡＴ３のみをＯＮとし、さらに次の桁の表示器６３０の点灯回路を有効化するタイミングにおいて第４のセグメント６３４を点灯させるデータ線ＤＡＴ４のみをＯＮとし、最下位桁の表示器６４０の点灯回路を有効化するタイミングにおいて第５のセグメント６４５を点灯させるデータ線ＤＡＴ５のみをＯＮとする信号となっている。
【００６８】
マイコン基板６５０は、表示期間Ｔ２＝３００ｍｓ〜５００ｍｓが経過するまでの間（Ｓ１２５：ＮＯ）、第２期間用の信号を出力し続ける（Ｓ１２０）。この結果、四桁の７セグメント表示器６１０〜６４０は、図７（Ｃ）の右端に示す様な表示がなされた状態となる。
【００６９】
以下、第３の表示期間Ｔ３、第４の表示期間Ｔ４、第５の表示期間Ｔ５、第６の表示期間Ｔ６、第７の表示期間Ｔ７、と各桁の表示器６１０〜６４０のそれぞれにおいて、セグメントの並び順に沿って通電状態を切り換えるセグメントが、下位側の桁の表示器において点灯から消灯に切り換えられるセグメントを次に点灯するセグメントとする様に、各表示器におけるセグメントの並び順に沿って点灯するセグメントを変更しつつ通電状態の切り換えを順次実行する。なお、Ｔ３〜Ｔ７も、Ｔ１，Ｔ２と同じく、３００ｍｓ〜５００ｍｓとされている。
【００７０】
そして、第７の表示期間Ｔ７が経過したら（Ｓ１７５：ＹＥＳ）、第８期間用の信号を出力する（Ｓ１８０）。第８期間用の信号は、図７（Ｄ）に示す様に、最上位桁の表示器６１０の点灯回路を有効化するタイミングにおいて第８のセグメント６１６を点灯させるデータ線ＤＡＴ８のみをＯＮとし、次の桁の表示器６２０の点灯回路を有効化するタイミングにおいて第１のセグメント６２１を点灯させるデータ線ＤＡＴ１のみをＯＮとし、さらに次の桁の表示器６３０の点灯回路を有効化するタイミングにおいて第２のセグメント６３２を点灯させるデータ線ＤＡＴ２のみをＯＮとし、最下位桁の表示器６４０の点灯回路を有効化するタイミングにおいて第３のセグメント６４３を点灯させるデータ線ＤＡＴ３のみをＯＮとする信号となっている。
【００７１】
マイコン基板６５０は、表示期間Ｔ８＝３００ｍｓ〜５００ｍｓが経過するまでの間（Ｓ１８５：ＮＯ）、第８期間用の信号を出力し続ける（Ｓ１８０）。この結果、四桁の７セグメント表示器６１０〜６４０は、図７（Ｄ）の右端に示す様な表示がなされた状態となる。
【００７２】
こうして各表示器６１０〜６４０について、全てのセグメントを一つずつ順に点灯させる確認表示が完了したら（Ｓ１８５：ＹＥＳ）、マイコン基板６５０は、主制御基板３１０から入力されるベース表示用の信号に対応する数字を各桁に表示させる状態となる（Ｓ２００）。
【００７３】
マイコン基板６５０には、確認信号を受信したときに、第１〜第８の表示期間Ｔ１〜Ｔ８に対して、データ線ＤＡＴ１〜ＤＡＴ８に対して出力する第１期間用〜第８期間用の確認信号が予め記憶させてある。各表示期間Ｔ１〜Ｔ８は、３００ｍｓ〜５００ｍｓの範囲内の一定の時間を設定してある。例えば、表示期間Ｔ１〜Ｔ８が５００ｍｓの設定であった場合、本実施例では、図８（Ａ）に示した表示の切り替えが５００ｍｓ毎に実行されることとなる。この確認用の表示は、四桁の７セグメント表示器６１０〜６４０のそれぞれにおいて、同時期に各一つのセグメントを点灯するから、合計３２個のセグメントについて、断線または端子間の短絡が生じているか否かの確認を、わずか４秒程度で目視確認することができる。また、点灯位置の切り換えは同じ時間間隔で実行されリズミカルに生じる結果、見落としが生じ難い。なお、表示期間Ｔ１〜Ｔ８は、消灯から点灯への変化、点灯から消灯への変化、点滅の発生といった通電状態の切り換えを目視にて把握できる期間であればよく、３００ｍｓ〜５００ｍｓに限定するものではない。
【００７４】
また、本実施例では、同時期に点灯するセグメントの位置が桁毎に異なる位置のセグメントとなる様に通電状態の切り換えを順次実行している。この結果、作業者は、隣の７セグメント表示器の表示と混乱することなく、点灯位置の変化を的確に確認することができる。
【００７５】
さらに、本実施例では、４個の７セグメント表示器６１０〜６４０のそれぞれについて、通電状態を切り換えるセグメントを、各表示器におけるセグメントの並び順に沿って変更しつつ通電状態の切り換えを順次実行している。この結果、作業者は、点灯されるセグメントを予測しつつ点灯状態の変化を的確に確認することができる。
【００７６】
加えて、本実施例では、電源投入時の通電確認において、４個の７セグメント表示器６１０〜６４０のそれぞれについて、下位側の桁の表示器において次の表示期間に点灯から消灯へと通電状態を切り換えられるセグメントを、次の表示期間に消灯から点灯へと通電状態を切り換えるセグメントとしている。この結果、作業者は、点灯されるセグメントをさらに予測し易くなっている。
【００７７】
［７  変形例］
電源投入時の通電確認において、各表示器６１０〜６４０のそれそれにおいて、図８（Ｂ）に示す様に、同時期に各一つのセグメントだけを消灯する点灯状態の切り換えを順次実行する確認信号をマイコン基板６５０に出力させる様に構成することもできる。
【００７８】
また、電源投入時の通電確認において、各表示器６１０〜６４０のそれそれにおいて同時期に一つだけ点灯するセグメントを、図９（Ａ）に示す様に、同じ位置のセグメントとする確認信号をマイコン基板６５０に出力させる様に構成することもできる。
【００７９】
さらに、電源投入時の通電確認において、各表示器６１０〜６４０のそれそれにおいて、図９（Ｂ）に示す様に、同時期に点灯するセグメントを二つとし、各表示期間内において点滅状態とする確認信号をマイコン基板６５０に出力させる様に構成することもできる。この場合、端子間短絡の確認の観点から、各表示器において同時期に点滅させる二つのセグメントは、セグメントの並び順において最も遠い位置のものとするとよい。
【００８０】
［８  実施例及び変形例の効果］
複数個の７セグメント表示器を備える遊技機において、断線や配線の脱落だけでなく、端子間の短絡についても短時間で検査することができる。
【００８１】
以上、発明を実施するための実施例及び変形例を説明したが、本発明は、これらに限定されるものではなく、その要旨を逸脱しない範囲内における種々の変更が可能である。
【００８２】
例えば、性能表示モニタ以外の特図表示、大当たりラウンド数表示、入賞個数表示などに当たって、複数桁の数値を表示するために備えた二連以上の７セグメント表示器の通電状態の確認に対して適用することもできる。もちろん、パチンコ機に限らず、図柄の変動表示が可能であって所定の抽選に当選したことを契機に特典が得られる様に構成されたスロットマシンに対しても、二連以上の７セグメント表示器の通電状態の確認に対して適用することができる。
【産業上の利用可能性】
【００８３】
本発明はパチンコ機、スロットマシンに利用することができる。
【符号の説明】
【００８４】
７・・・始動入賞装置、１５・・・大入賞口、１８・・・普通入賞口、１９・・・アウト口、２７・・・第２始動入賞装置、４２〜４４・・・玉排出路構成部材、３１０・・・主制御基板、３２０・・・演出制御基板、３３０・・・払出制御基板、３４０・・・発射制御基板、３５０・・・インタフェース基板、３６０・・・電源基板、３７０・・・演出表示制御基板、３８０・・・電源中継基板、５００・・・機構板、６００・・・性能表示モニタ、６１０〜６４０・・・７セグメント表示器、６１１，６２１，６３１，６４１・・・第１のセグメント、６１２，６２２，６３２，６４２・・・第２のセグメント、６１３，６２３，６３３，６４３・・・第３のセグメント、６１４，６２４，６３４，６４４・・・第４のセグメント、６１５，６２５，６３５，６４５・・・第５のセグメント、６１６，６２６，６３６，６４６・・・第６のセグメント、６１７，６２７，６３７，６４７・・・第７のセグメント、６１８，６２８，６３８，６４８・・・第８のセグメント、６５０・・・マイコン基板、ＤＡＴ１〜ＤＡＴ８・・・データ線、ＯＵＴ１〜ＯＵＴ４・・・出力端子、Ｐ１・・・パチンコ機、Ｇ・・・発射装置。
【図１】
2020031752.tif 000003
【図２】
2020031752.tif 000004
【図３】
2020031752.tif 000005
【図４】
2020031752.tif 000006
【図５】
2020031752.tif 000007
【図６】
2020031752.tif 000008
【図７】
2020031752.tif 000009
【図８】
2020031752.tif 000010
【図９】
2020031752.tif 000011